(57)【特許請求の範囲】
【請求項１】
土を盛り上げる盛土体と、
この盛土体にて盛り上げられた土を締め固めて傾斜面状の畦側面を形成する略円錐台状の回転可能な畦側面形成体と、
この畦側面形成体の縮径側端部に設けられ、前記盛土体にて盛り上げられた土を締め固めて水平面状の畦上面を形成する略円筒状の回転可能な畦上面形成体とを備え、
前記畦上面形成体は、この畦上面形成体の回転時に、前記盛土体にて盛り上げられた土を締め固めるとともに、前記盛土体にて盛り上げられた土の一部を前記畦側面形成体側に向けて移動させてその畦側面形成体の縮径側端部付近に供給する突部を外周面に有し、
前記突部は、前記畦側面形成体から離れるに従って回転方向に向う螺旋状に形成され、土を徐々に加圧するように厚さ寸法が回転方向に向って徐々に減少する突板部にて構成され、
前記畦側面形成体にて土が締め固められて畦側面が形成されかつ前記畦上面形成体にて土が締め固められて畦上面が形成される際に、前記盛土体にて盛り上げられた土の一部が前記突板部にて前記畦側面形成体の縮径側端部に向って移動してその畦側面形成体の縮径側端部付近に供給され、前記畦側面形成体の縮径側に所望の土量が確保される
ことを特徴とする畦塗り機。
【請求項２】
畦上面形成体は、この畦上面形成体の上下振動が抑制されるように側面視でその畦上面形成体の回転中心軸線を中心とする円形状をなすものであり、
前記畦上面形成体が有する複数の突板部は、前記畦上面形成体を側面からみて前記回転中心軸線を中心とする円周上に切れ間なく連続して位置するように配設されている
ことを特徴とする請求項１記載の畦塗り機。
【請求項３】
土を盛り上げる盛土体と、
この盛土体にて盛り上げられた土を締め固めて傾斜面状の畦側面を形成する略円錐台状の回転可能な畦側面形成体と、
この畦側面形成体の縮径側端部に設けられ、前記盛土体にて盛り上げられた土を締め固めて水平面状の畦上面を形成する略円筒状の回転可能な畦上面形成体とを備え、
前記畦上面形成体は、この畦上面形成体の回転時に、前記盛土体にて盛り上げられた土を締め固めるとともに、前記盛土体にて盛り上げられた土の一部を前記畦側面形成体側に向けて移動させてその畦側面形成体の縮径側端部付近に供給する突部を外周面に有し、
前記突部は、前記畦側面形成体から離れるに従って回転方向に向う螺旋状の突条部にて構成され、
前記畦側面形成体にて土が締め固められて畦側面が形成されかつ前記畦上面形成体にて土が締め固められて畦上面が形成される際に、前記盛土体にて盛り上げられた土の一部が前記突条部にて前記畦側面形成体の縮径側端部に向って移動してその畦側面形成体の縮径側端部付近に供給され、前記畦側面形成体の縮径側に所望の土量が確保される
ことを特徴とする畦塗り機。
【請求項４】
突条部は、複数で、円筒状本体部の円筒面状の外周面に突設されている
ことを特徴とする請求項３記載の畦塗り機。
【発明の詳細な説明】
【技術分野】
【０００１】
本発明は、硬さが均一な畦側面を形成できる畦塗り機に関するものである。
【背景技術】
【０００２】
従来、例えば土を盛り上げる盛土体と、盛土体にて盛り上げられた土を締め固めて傾斜面状の畦側面を形成する略円錐台状の回転可能な畦側面形成体と、畦側面形成体の縮径側端部に設けられ外周面が円筒面にて構成され盛土体にて盛り上げられた土を締め固めて水平面状の畦上面を形成する回転可能な畦上面形成体とを備えた畦塗り機が知られている（例えば、特許文献１参照）。
【特許文献１】特開２００４−３０５０２８号公報
【発明の開示】
【発明が解決しようとする課題】
【０００３】
しかしながら、上記従来の畦塗り機の場合、畦側面の上部では下部に比べて土が落下しやすいため、畦側面形成体の縮径側の土量が不足してしまい、畦側面の硬さが不均一になるおそれがある。
【０００４】
本発明は、このような点に鑑みなされたもので、硬さが均一な畦側面を形成できる畦塗り機を提供することを目的とする。
【課題を解決するための手段】
【０００５】
請求項１記載の畦塗り機は、土を盛り上げる盛土体と、この盛土体にて盛り上げられた土を締め固めて傾斜面状の畦側面を形成する略円錐台状の回転可能な畦側面形成体と、この畦側面形成体の縮径側端部に設けられ、前記盛土体にて盛り上げられた土を締め固めて水平面状の畦上面を形成する略円筒状の回転可能な畦上面形成体とを備え、前記畦上面形成体は、この畦上面形成体の回転時に、前記盛土体にて盛り上げられた土を締め固めるとともに、前記盛土体にて盛り上げられた土の一部を前記畦側面形成体側に向けて移動させてその畦側面形成体の縮径側端部付近に供給する突部を外周面に有し、前記突部は、前記畦側面形成体から離れるに従って回転方向に向う螺旋状に形成され、土を徐々に加圧するように厚さ寸法が回転方向に向って徐々に減少する突板部にて構成され、前記畦側面形成体にて土が締め固められて畦側面が形成されかつ前記畦上面形成体にて土が締め固められて畦上面が形成される際に、前記盛土体にて盛り上げられた土の一部が前記突板部にて前記畦側面形成体の縮径側端部に向って移動してその畦側面形成体の縮径側端部付近に供給され、前記畦側面形成体の縮径側に所望の土量が確保されるものである。
【０００６】
請求項２記載の畦塗り機は、請求項１記載の畦塗り機において、畦上面形成体は、この畦上面形成体の上下振動が抑制されるように側面視でその畦上面形成体の回転中心軸線を中心とする円形状をなすものであり、前記畦上面形成体が有する複数の突板部は、前記畦上面形成体を側面からみて前記回転中心軸線を中心とする円周上に切れ間なく連続して位置するように配設されているものである。
【０００７】
請求項３記載の畦塗り機は、土を盛り上げる盛土体と、この盛土体にて盛り上げられた土を締め固めて傾斜面状の畦側面を形成する略円錐台状の回転可能な畦側面形成体と、この畦側面形成体の縮径側端部に設けられ、前記盛土体にて盛り上げられた土を締め固めて水平面状の畦上面を形成する略円筒状の回転可能な畦上面形成体とを備え、前記畦上面形成体は、この畦上面形成体の回転時に、前記盛土体にて盛り上げられた土を締め固めるとともに、前記盛土体にて盛り上げられた土の一部を前記畦側面形成体側に向けて移動させてその畦側面形成体の縮径側端部付近に供給する突部を外周面に有し、前記突部は、前記畦側面形成体から離れるに従って回転方向に向う螺旋状の突条部にて構成され、前記畦側面形成体にて土が締め固められて畦側面が形成されかつ前記畦上面形成体にて土が締め固められて畦上面が形成される際に、前記盛土体にて盛り上げられた土の一部が前記突条部にて前記畦側面形成体の縮径側端部に向って移動してその畦側面形成体の縮径側端部付近に供給され、前記畦側面形成体の縮径側に所望の土量が確保されるものである。
【０００８】
請求項４記載の畦塗り機は、請求項３記載の畦塗り機において、突条部は、複数で、円筒状本体部の円筒面状の外周面に突設されているものである。
【発明の効果】
【０００９】
本発明によれば、畦上面形成体が盛土体にて盛り上げられた土を畦側面形成体側に向けて移動させる突部を外周面に有するため、畦側面形成体の縮径側に所望の土量を確保でき、硬さが均一な畦側面を形成できる。
【発明を実施するための最良の形態】
【００１０】
本発明の畦塗り機の一実施の形態を図面を参照して説明する。
【００１１】
図１において、１は畦塗り機で、この畦塗り機１は、走行車であるトラクタ（図示せず）の後部に連結されて使用される牽引式のものである。
【００１２】
畦塗り機１は、トラクタの後部の３点リンク（作業機昇降支持装置）に連結された機体２と、機体２の一側前部に回転可能に設けられ田面および畦（元畦）の土を耕耘して畦側面および畦上面に盛り上げる盛土体３と、機体２の一側後部に回転可能に設けられ盛土体３の後方で左右水平方向の回転中心軸線Ｘを中心として回転しながら盛土体３にて盛り上げられた土を締め固めて新たな畦（新畦）Ａを形成する畦形成部４と、盛土体３の前方で元畦の畦上面を削る回転可能な上面削り部５とを備えている。
【００１３】
機体２は、トラクタの後部の３点リンクに連結された固定機枠７を有している。固定機枠７には回動アーム８の一端部が回動可能に取り付けられ、この回動アーム８の他端部には可動機枠９が回動可能に取り付けられている。そして、可動機枠９に、盛土体３、畦形成部４および上面削り部５がそれぞれ回転可能に設けられている。
【００１４】
固定機枠７は、軸保持部10を有し、この軸保持部10には略前後方向の入力軸11が回転可能に設けられ、この入力軸11はトラクタのＰＴＯ軸にジョイントおよび伝動シャフト等を介して接続されている。一方、可動機枠９は、伝動ケースを兼ね備えたものであり、この可動機枠９は軸保持部12を有し、この軸保持部12には中間入力軸13が回転可能に設けられ、この中間入力軸13は入力軸11にジョイントおよび伝動シャフト等を介して接続されている。
【００１５】
盛土体３は、可動機枠９にて回転可能に軸支された回転軸21と、回転軸21に突設されこの回転軸21と一体となって回転しながら田面および畦の土を耕耘して畦側面および畦上面に盛り上げる複数の盛土爪22とを有している。複数の盛土爪22の上方部は、図示しないカバー体にて覆われている。盛土体３の回転軸21は、中間入力軸13側からの動力で所定方向に駆動回転する。
【００１６】
畦形成部４は、可動機枠９にて回転可能に軸支された回転軸23と、回転軸23と一体となって回転中心軸線Ｘを中心として回転方向ａに回転しながら盛土体３にて盛り上げられた土を締め固めて田面側に向って下り傾斜面状の畦側面Ｂを形成する略円錐台状の回転可能な畦側面形成体24と、畦側面形成体24の縮径側端部に設けられ回転軸23と一体となって回転中心軸線Ｘを中心として回転方向ａに回転しながら盛土体３にて盛り上げられた土を締め固めて水平面状の畦上面Ｃを形成する略円筒状の回転可能な畦上面形成体25とを備えている。畦形成部４の回転軸23は、中間入力軸13側からの動力で所定方向である回転方向ａに駆動回転する。
【００１７】
ここで、畦上面形成体（上面ローラ）25は、図２ないし図４に示すように、この畦上面形成体25の回転時に、盛土体３にて元畦の畦上面に盛り上げられた土を締め固めるとともに、土の一部を畦側面形成体24側つまり畦側面形成体24の縮径側端部に向けて移動させる複数、例えば４つの螺旋状の突部26を外周面に有している。
【００１８】
各突部26は、畦側面形成体24から離れるに従って回転方向ａに向う螺旋状に形成され土を徐々に加圧するように厚さ寸法が回転方向ａに向って徐々に減少する凸状の突面部である突板部27にて構成されている。
【００１９】
そして、畦上面形成体25は、この畦上面形成体25の上下振動が抑制されるように側面視で回転中心軸線Ｘを中心とする円形状をなすものである（図４参照）。すなわち、畦上面形成体25の外形線は側面視で回転中心軸線Ｘを中心とする円であり、つまり、４つの突板部27は、畦上面形成体25を側面からみて回転中心軸線Ｘを中心とする円周上に切れ間なく連続して位置するように配設されている。そして、隣接する突板部27のうちの一方の突板部27の回転方向前端と他方の突板部27の回転方向後端との連接部分に、畦側面形成体24から離れるに従って回転方向ａに向う螺旋状の段差28が形成されている。
【００２０】
なお、畦上面形成体25は、例えば外周面が円筒面状の円筒部材の外周面に、幅方向一端から幅方向他端に向って徐々に厚さ寸法が減少する複数枚の板状部材を貼り付けて製作する。
【００２１】
一方、畦側面形成体24は、図２に示されるように、円錐台状のベース31と、このベース31の外周面側に回転中心軸線Ｘを中心として放射状に設けられ回転方向ａに並んで位置する略扇形状でかつやや湾曲面状の複数の作用板（ディスク）32とを有している。
【００２２】
次に、上記畦塗り機１の作用等を説明する。
【００２３】
トラクタの後部の３点リンクに畦塗り機１を連結してトラクタを走行させると、畦塗り機１はトラクタとともに進行方向前方に向って移動し、盛土体３、畦形成部４および上面削り部５がそれぞれ駆動回転する。
【００２４】
そして、盛土体３にて土が元畦の畦側面および畦上面に盛り上げられ、回転中心軸線Ｘを中心として回転方向ａに回転する畦側面形成体24にて土が締め固められて傾斜面状の畦側面Ｂが形成され、かつ回転中心軸線Ｘを中心として回転方向ａに回転する畦上面形成体25にて土が締め固められて畦上面Ｃが形成される。このとき、畦上面形成体25の螺旋状の突板部27にて土が畦側面形成体24の縮径側端部に向って移動して畦側面形成体24の縮径側端部付近に土が供給されるため、畦側面形成体24の縮径側に所望の土量が確保される。
【００２５】
このように、畦塗り機１によれば、畦上面形成体25が盛土体３にて盛り上げられた土を畦側面形成体24側に向けて移動させる螺旋状の突部26、すなわち例えば突板部27を外周面に有するため、畦側面上部で土が落下したとしても、畦側面形成体24の縮径側に所望の土量を確保でき、硬さが均一な畦側面Ｂを形成できる。
【００２６】
また、螺旋状の突板部27によって盛土体３にて盛り上げられた土を畦側面形成体24側に向けてスムーズに移動させることができ、また、厚さ寸法が回転方向に向って徐々に減少する突板部27によって土を徐々に加圧でき、効果的に締め固めができ、しかも、畦上面形成体25が側面視で回転中心軸線Ｘを中心とする円形状をなすため、畦上面形成体25の上下振動を抑制でき、よって従来より硬く締め固められた畦上面Ｃを形成することができる。
【００２７】
なお、上記実施の形態では、畦上面形成体25が４つの螺旋状の突板部27を外周面に有する構成について説明したが、螺旋状の突板部27の数は任意で、３つ、６つ、８つ等でもよく、また図５および図６に示すように、畦上面形成体25が１つの螺旋状の突板部27を外周面に有する構成でもよい。この構成では、１つの突板部27の回転方向後端に畦側面形成体24から離れるに従って回転方向ａに向う螺旋状の段差28が形成されている。
【００２８】
また、例えば図７に示すように、突部26を畦側面形成体24から離れるに従って回転方向ａに向う複数、例えば４つの螺旋状の細長板或いは丸棒等の突条部33にて構成したものでもよい。各突条部33は、円筒状本体部34の円筒面状の外周面に突設され、円筒状本体部34の軸方向一端から他端にわたって位置している。なお、突条部33の数は任意で、３つ、６つ、８つ等でもよく、また１つでもよい。
【図面の簡単な説明】
【００２９】
【図１】本発明の一実施の形態に係る畦塗り機の概略平面図である。
【図２】同上畦塗り機の畦形成部の斜視図である。
【図３】同上畦形成部の畦上面形成体の斜視図である。
【図４】同上畦上面形成体の側面図である。
【図５】本発明の他の実施の形態に係る畦塗り機の畦上面形成体の斜視図である。
【図６】同上畦上面形成体の側面図である。
【図７】本発明のさらに他の実施の形態に係る畦塗り機の畦上面形成体の斜視図である。
【符号の説明】
【００３０】
１    畦塗り機
３    盛土体
24    畦側面形成体
25    畦上面形成体
26    突部
27    突板部
33    突条部
34    円筒状本体部
ａ    回転方向
Ｂ    畦側面
Ｃ    畦上面
Ｘ    回転中心軸線
【図１】
0005416885.tif 000002
【図２】
0005416885.tif 000003
【図３】
0005416885.tif 000004
【図４】
0005416885.tif 000005
【図５】
0005416885.tif 000006
【図６】
0005416885.tif 000007
【図７】
0005416885.tif 000008